(57)【特許請求の範囲】
【請求項１】
ボックス（１）と、注射器ハウジング（５）と、該ハウジング（５）に取り付け可能で、プランジャ（１４）を引き込まれた位置から解放してハウジング（５）内部で注射器を推進し、その針をハウジングから突出させ、次に針を通して１回の服用量を送り出すアクチュエータ（１６）を有した発射機構（４）とから構成されている注射器パックであり、少なくとも、引き込ましたプランジャを用いて、アクチュエータ（１６）は安全状態と発射準備された状態との間で回転可能であって、ボックスは、発射機構（４）がボックス内にしまい込まれた位置になっているときにアクチュエータ（１６）を安全状態に拘束し且つ発射機構がそのしまい込まれた位置から移されるとその後端を発射機構の取り付けのために提供するように注射器ハウジング（５）を別にしまい込む内部構造を有しており、また注射器ハウジング（５）は、取り付けられた発射機構（４）によってボックス（１）から取り外し可能となっており、またアクチュエータ（１６）は、発射機構がプランジャを解放するように操作されることになる発射準備された状態へと発射機構がボックスを離れて自由になると、調節可能となっていることを特徴とする注射器パック。
【請求項２】
発射機構（４）は、前方端からプランジャ（１４）が出現するバレル（１２）を有しており、またアクチュエータ（１６）は、管状を成していて、バレル（１２）を覆うスリーブで囲まれており、またプランジャの解放機構の一部を形成している閉鎖後端を有している請求項１に記載の注射器パック。
【請求項３】
ボックス（１）の下部に、バレル（１２）の為の座部（６）が備えられ、また、バレル座部（６）の上方のボックス内の領域に、アクチュエータ（１６）の為の座部（９）が備えられ、これら座部は円形ではなく、確実にバレル（１２）とアクチュエータ（１６）の相対回転位置がアクチュエータを安全状態に置く関係となっている請求項２に記載の注射器パック。
【請求項４】
アクチュエータの座部（９）は、ほぼ正多角形のソケットとなっていて、バレル（５）の軸線周りで対称なアクチュエータ上の相補形状部（１７）を収容するようになっている請求項３に記載の注射器パック。
【請求項５】
バレルの座部（６）は、その先導端におけるバレル（１２）周りの相補アレーのカムによって係合される環状アレーのカム（２１）を有しており、それらカムの係合は、その際にアクチュエータが安全状態になっている位置へバレルを回転させたり、又はその回転を確認することになる請求項３又は４に記載の注射器パック。
【請求項６】
プランジャは少なくともその先導端において管状（１４）となっており、またピン（２２）がボックス（１）内部で起立しており、そのピンはプランジャに入ってそれを案内し、それで発射機構（４）がボックスにしまい込まれるときにその発射機構を案内するようになっている請求項１に記載の注射器パック。
【請求項７】
アクチュエータ（１６）は、プランジャ（１４）がその引き込まれた位置に保持される前に、その安全状態になっていなければならない請求項１に記載の注射器パック。
【請求項８】
ボックス（１）は、プランジャの引き込みを補助するために、注射器ハウジングと発射機構のしまい込まれた位置（６、８）から離れた内部ピラー（２５）を有しており、そのピラーの尖端は、それが整合状態で差し上げられるとプランジャ（１４）の先導端によって係合可能となっており、他方、発射機構の先導部は、ピラーにかぶさるように押し下げられ、それによって、プランジャは後方に押されることになる請求項１に記載の注射器パック。
【請求項９】
バレル（１２）は、ボックス（１）の下部に座部を有しており、またアクチュエータは、バレル座部（６）の上方においてボックスに座部（９）を有しており、これら座部は円形ではなく、確実にバレル（１２）とアクチュエータ（１６）の相対回転位置がアクチュエータを安全状態に置く関係となっており、バレルの座部（６）は、その先導端におけるバレル（１２）周りの相補アレーのカムによって係合される環状アレーのカム（２１）を有しており、それらカムの係合は、その際にアクチュエータが安全状態になっている位置へバレルを回転させたり、又はその回転を確認することになり、ピラーは、バレル座部のものと同じその基部周りに環状アレーのカム（２７）を有しており、またボックス（１）は、ピラー（２５）と一致したアクチュエータガイド（１０）を有していて、それによって、バレルがピラーにかぶさるようにスリーブで囲まれると共にプランジャ（１４）がその完全に引き込まれた位置に到達すると、確実にバレル（１２）とアクチュエータ（１６）の相対回転位置は、アクチュエータがその安全状態になっている請求項８に記載の注射器パック。
【請求項１０】
注射器ハウジングは、ボックス（１）にしまい込まれているときに回転しないように保持（１９、２９）され、また発射機構（４）のネジはハウジング（５）に結合している請求項１に記載の注射器パック。
【請求項１１】
ネジ結合を締めつけるように発射機構（４）を回わすのは、発射準備された状態から安全状態にアクチュエータ（１６）を回転するのと同じ方向になっている請求項１０に記載の注射器パック。
【発明の詳細な説明】
【０００１】
【発明の属する技術分野】
この発明は、注射器パックに関する。
【０００２】
【従来の技術】
関節炎を患っている人は、自分で注射するのが一般的であるが、しかし、その人達は、その人達の健康状態によって注射器を扱ったり、使用するのがしばしば困難なことがある。
【０００３】
【発明が解決しようとする課題】
この発明の目的は、安全な分解された状態で格納されているが、しかし、手の器用さを損ねた人でも容易に組立てられ、発射準備されて、発射される注射装置を収容したパックを提供するものである。
【０００４】
【課題を解決するための手段】
本発明に依れば、ボックスと、注射器ハウジングと、該ハウジングに取り付け可能で、プランジャを引き込まれた位置から解放してハウジング内部で注射器を進め、その針をハウジングから突出させ、次に針を通して１回の服用量を送り出すアクチュエータを有した発射機構とから構成されている注射器パックが提供されており、そこで、ボックスは、発射機構が内部にしまい込まれた位置になっているときにアクチュエータを安全状態に拘束し且つ発射機構がそのしまい込まれた位置から移されるとその後端を発射機構の取り付けのために提供するように注射器ハウジングを別にしまい込む内部構造を有しており、また注射器ハウジングは、取り付けられた発射機構によってボックスから取り外し可能となっており、またアクチュエータは、発射機構がプランジャを解放するように操作されることになる発射準備された状態へと発射機構がボックスを離れると、調節可能となっていることを特徴としている。
【０００５】
好都合なことには、プランジャが引き込められた状態では、アクチュエータは安全状態と発射準備された状態との間で回転可能となっている。この回転は、更に、プランジャが解放されたり発射されたりする場合も行われる。
【０００６】
好適な形では、発射機構は、前方端からプランジャが出現するバレルを有しており、またアクチュエータは、管状を成していて、バレルを覆うスリーブで囲まれており、またプランジャの解放部分を形成している閉鎖後端を有している。バレルは、ボックスの下部に座部を有しており、またアクチュエータは、バレル座部の上方においてボックスに座部を有している。これら座部は円形ではなく、確実にバレルとアクチュエータの相対回転位置がアクチュエータを安全状態に置く関係となっている。
【０００７】
アクチュエータの座部は、ほぼ正多角形のソケットとなっていて、バレルの軸線周りで対称なアクチュエータ上の相補形状部を収容するようになっている。バレルの座部は、その先導端におけるバレル周りの相補アレーのカムによって係合される環状アレーのカムを有することができる。それらカムの係合は、その際にアクチュエータが安全状態になっている位置へバレルを回転させたり、又はその回転を確認する。
【０００８】
好都合なことには、プランジャは少なくともそりの先導端において管状となっている。ボックス内部で起立しているピンは、次にプランジャに入ってそれを案内し、それで発射機構がボックスにしまい込まれるときにその発射機構を案内するようになっている。
【０００９】
アクチュエータは、プランジャがその引き込まれた位置に保持される前に、その安全状態になっていることが好ましい。別言すれば、もし発射機構が発射されたならば、単にプランジャを押し戻すことでそれが再度発射準備されることがなく、更に、アクチュエータとバレルとの間に手動回転がなければならない。
【００１０】
ボックスは、プランジャの引き込みを補助するために、注射器ハウジングと発射機構のしまい込まれた位置から離れて内部ピラーを有しており、そのピラーの尖端は、それが整合状態で差し上げられるとプランジャの先導端によって係合可能となり、他方、発射機構の先導部は、ピラーにかぶさるように伸縮で下げられ、それによって、プランジャは後方に押されることになる。
【００１１】
更に、ピラーは、バレル座部のものと同じその基部周りに環状アレーのカムを有することができ、またボックスは、ピラーと一致したアクチュエータガイドを有することができる。このことで、バレルがピラーにかぶさってスリーブで囲まれると共にプランジャがその完全に引き込まれた位置に到達すると、確実にバレルとアクチュエータの相対回転位置は、アクチュエータがその安全状態になっているようにするものである。
【００１２】
好ましいことには、注射器ハウジングは、ボックスにしまい込まれているときには回転しないように保持される。発射機構のネジがハウジングに結合していれば、好ましいことには、ボックスを保持することは、発射機構が回転されている間はハウジングをしっかりと保持することになる。ネジ結合を締めつけるように発射機構をこのように回すのは、発射準備された状態から安全状態にアクチュエータを回転するのと同じ方向であるべきである。
【００１３】
注射器ハウジングの先導端は、好ましくは、容易に飛び出され、通常はハウジングを越えて突出し、使用後には針を覆い包む針カバーを有することになる。針自身は、一般には更に保護したり衛生のためにゴムキャップを有し、またハウジングの位置決めをするボックスの下部には、ハウジングが移されるとキャップを取り除く公知のタイプの成形部が設けられる。
【００１４】
好ましくは、グリップには窓が設けられ、また発射機構が安全な状態のときにこの窓に一致するマークや印がバレル上に設けられている。もう一つ別のマークや印は、それが発射準備されているときを示すことができる。
【００１５】
【発明の実施の形態】
本発明をより良く理解するために、今度は添付図を参照して例示的に一実施例を説明する。
【００１６】
パックの主要な構成部品は、ボックス１と、ボックス用の内部ライニング／ガイド部材２と、該部材２を介してボックス１に蝶番連結された蓋３と、発射機構４と、注射器ハウジング５となっている。
【００１７】
ボックス１は、その基部に沿って整列状態の３つの内部構成部６、７、８を有している。構成部６は、発射機構４の先導端の位置を特定しており、それがボックス内に正しくしまい込まれると確実にロックされた又は安全な状態になるようにしている。構成部７は、発射機構を発射準備するのに使用され、また構成部８は、注射器ハウジング５の先導端の位置を特定している。これらの全ては、以下により詳細に説明する。
【００１８】
部材２は、確実にそれが構成部６、７と正しく合致するようにするために発射機構にガイド９、１０を用意し、また構成部８と正しく整合させるために注射器ハウジングにガイド１１を用意する。再び、これらについて以下により詳細に説明する。
【００１９】
発射機構４は、後端がノブ１３となっているバレル１２を有している。これが押圧されると、バレルの先導端からプランジャ１４を前方に発射する駆動スプリング（図示されていない）を解放する。それは、注射器ハウジング５への結合を行っている小径のネジ螺子部１５から出現する。しかし、ノブ１３は、発射準備された状態になっているときにそのように押圧されるだけであり、このことは、取り囲んでいるスリーブ１６に対して安全状態からバレル１２を回転することで達成される。実際のノブ１３は、それ自身接近できなくなっており、それは、このスリーブ１６の閉鎖後端によって隠されており、スリーブ１６は、バレルを覆って前方に延び、部分１５の丁度手前で丸められた三角形状部１７で外部で終結している。スリーブの残りの部分は、回転体とすることができ、またそれは使用者のためのグリップとしての役目をする。それは、バレル１２上の一つのマークや複数のマークを通して見ることができる窓１８を有している。
【００２０】
注射器ハウジング５は、大部分がストレートな円筒体となっており、部分１５と係合するために後端に内部ネジが切られており、また容易に飛び出される針鞘２０が通常突出するその先導端に浅い歯付きの環体１９を有している。注射器自身は図示されていない。
【００２１】
構成部６は、スタッド２２の周りで環状アレーを成している３個で一組の三角形状歯２１となっている。これらの歯は、全てが同じ周方向を向き且つ同じ螺旋経路を辿る湾曲した傾斜面２３を有している。それらは、バレル１２の部分１５の内側に相補形状部（図示されていない）と協働するカムを形成している。それらは、勿論プランジャ１４を妨害するものではない。スリーブのグリップ１６が回転に対抗し且つその軸線周りにおける３方向の内のいずれかに保持された状態で、発射機構が構成部６へと押し下げられると、これらのカム面は、バレルが安全位置にいて且つノブ１３が操作不能になるようにスリーブ１６に対してバレル１２を回転する。スタツド２２は、プランジャ１４の中空な先導端に入り、もしそのプランジャがその発射された前方位置にあれば、位置特定を手助けする。しかし、プランジャを引き込んでしまい込むことも可能である。
【００２２】
部材２のガイド９の上部も、丸められた三角形横断面をもっていて、発射機構４が挿入されると、スリーブ１６がそれら３つの向きの内の一つに拘束されて回転が防止されるように部分１７に適合するようになっている。ガイド９は、バレル１２の先導端をしっくりと収容する短い円筒部２４へと肩部２３で狭くなっている。
【００２３】
使用のために、発射機構４はこの格納場所から移され、プランジャが既に発射されていれば、構成部７へと差し上げられる。これは、先細になっていて且つ丸められた頂部を備えた十字形横断面のピラー２５を有している。それは、円錐台形状の基部２６から起立しており、またその下方端周りに歯２１と同じ一組の歯２７が設けられている。発射機構がピラー２５上に押し下げられると、それはプランジャ１４に係合し、それをバレル１２内に押し戻す。部分１５が歯２７に到達すると、これらは、駆動スプリングを完全に圧縮した状態で、プランジャがその引き込み位置に捕捉されるように、確実にバレル１２がスリーブ１６に対して回転されるようにする。このことは、バレル１２が安全状態になっている場合に生じるにすぎない。それは、発射機構が構成部６から丁度移されたところであるべきであるが、しかし、それが幾分でも再調節されている場合には、歯２７は歯２１と同じ作用を行い、発射機構を安全状態に戻すことになる。
【００２４】
部材２のガイド１０は、ガイド９の上部と同じように作用する丸められた三角形横断面の短円筒となっており、相補形状部１７によってスリーブ１６を正しい向きに保っている。
【００２５】
発射機構は、次にピラー２５から持ち上げられて離され、その前方端で構成部８によって配置されると共に中間位置において部材２のガイド１１によって配置されている注射器ハウジング５に差し上げられる。構成部８は、環体１９の歯に適合し収容するために凹み２９を備えたカップ２８有しており、それによってハウジング５の回転を防いでいる。カップ内部には、注射器の針を覆っているゴムキャップと協働するブーツリムーバが設けられている。使用者は、簡単に部分１５をハウジング５の後端内にねじ込み、その組立体を押し下げてブーツリムーバをゴムキャップと係合させ、次にその組立体を持ち上げて自由にする。このネジ作用は、不意に発射機構を発射準備された状態へ戻さないようにするものであり、それによって、するとしても極僅かだが、その回転を安全状態へと強めることになる。
【００２６】
その組立体が十分に持ち上げられると、ブーツリムーバは、それがその時点で安全にハウジング５の内部に入っても、キャップを保持し続けて針を露出させることになる。ハウジング５内へとしまい込まれた位置に押し戻されることになる針鞘２０は、組立体を移動する際には飛び出る。
【００２７】
さて、注射装置は殆ど使用の準備ができている。先ず必要なことは、スリーブ１６とバレル１２の露出部との間で互いにひねることであり、それを発射準備された位置にすることである。そのネジ係合の摩擦は、それがより好都合であることが分かれば、ハウジング５が保持されてスリーブに対して回されるようにすべきである。その状態は、窓１８を通してバレル１２上のマークや印を観察することでチェックされる。
【００２８】
本装置は、次に、鞘２０を引き込めさせるように軽い圧力で使用者の皮膚に当てられる。スリーブ１６は前方に押され、ノブ１３はプランジャを発射させる。使用後に、針が引き抜かれると、鞘２０は前方に移動してそれを保護する。
【図面の簡単な説明】
【図１】  分解された注射器装置を収容したボックスの側面図である。
【図２】  ライニング部材無しのボックス内を見下ろした斜視図である。
【図３】  ライニング部材無しのボックス内を見下ろしたもう一つ別の斜視図である。
【図４】  ライニング部材の上方からの斜視図である。
【図５】  ライニング部材の下方からの斜視図である。
【図６】  ライニング部材の平面図である。
【図７】  注射装置の一部を形成する発射機構の側面図である。
【図８】  注射装置の一部を形成する注射器ホルダの側面図である。
【図９】  共に組立てられた発射機構と注射器ハウジングとの側面図である。
【図１】
0004477808.tif 000002
【図２】
0004477808.tif 000003
【図３】
0004477808.tif 000004
【図４】
0004477808.tif 000005
【図５】
0004477808.tif 000006
【図６】
0004477808.tif 000007
【図７】
0004477808.tif 000008
【図８】
0004477808.tif 000009
【図９】
0004477808.tif 000010